(57)【要約】【課題】菱形金網６０に適したスペーサーを得る。【解決手段】菱形金網用スペーサーを、Ｕ字状に折り曲げられた金属桿材に成る２本の脚材１１・１２が平行に向き合い、その２本の脚材が金属材料に成る連結材１３に連結され、その各脚材のＵ字状に折れ曲がった折返箇所１４を境として脚材の両端部を構成して向き合う各脚材の各一対の軸部２１ａ、２１ｂ、２２ａ、２２ｂに、その各脚材の各一対の軸部が向き合う方向とは逆向きとなる外向きに窪んだ窪み３１・３２が設けられ、脚材の折返箇所１４が接する平面１５から各軸部の窪みに到る距離Ｈが等しく、その各脚材の各一対２本の軸部の中の各一方の軸部の窪みと折返箇所から離れた位置において、それらの一方の軸部２１ａ、２２ａが連結材１３によって連結され、それらの各他方の軸部２１ｂ、２２ｂが自由端４１・４２となる形状に構成する。【選択図】図１
2008075404.tif 000002
【特許請求の範囲】
【請求項１】
（イ）  Ｕ字状に折り曲げられた金属桿材に成る２本の脚材（１１，１２）が平行に向かい合っており、
（ロ）  その２本の脚材（１１，１２）が金属材料に成る連結材（１３）によって連結されており、
（ハ）  その各脚材（１１，１２）のＵ字状に折れ曲がった折返箇所（１４）を境として脚材の両端部を構成して向き合う各脚材（１１，１２）の各一対の軸部（２１ａ，２１ｂ，２２ａ，２２ｂ）に、その各脚材の各一対の軸部（２１ａと２１ｂ，２２ａと２２ｂ）が向き合う方向とは逆向きとなる外向きに窪んだ窪み（３１ａ，３１ｂ，３２ａ，３２ｂ）が設けられており、
（ニ）  脚材の折返箇所（１４）が接する平面（１５）から各軸部の窪み（３１，３２）に到る距離（Ｈ）が等しく、
（ホ）  その各脚材の各一対の２本の軸部（２１ａ，２１ｂ，２２ａ，２２ｂ）の中の各一方の軸部（２１ａ，２２ａ）の窪み（３１ａ，３２ａ）と折返箇所（１４，１４）から離れた位置において、それらの一方の軸部（２１ａ，２２ａ）が連結材（１３）によって連結されており、
（ヘ）  それらの各他方の軸部（２１ｂ，２２ｂ）が自由端（４１，４２）を構成している補強金網支持スペーサー。
【請求項２】
２本の脚材（１１，１２）の中の少なくとも何れか一方の脚材（１２）の自由端（４２）が、脚材の折返箇所（１４）が接する平面（１５）に対し、軸部の窪み（３２）から長く突出している前掲請求項１に記載の補強金網支持スペーサー。
【発明の詳細な説明】
【技術分野】
【０００１】
本発明は、合成スラブその他のコンクリート打設床やコンクリート建築パネル、コンクリート打設基礎、舗道、路肩、法面等を補強するために打ち込むコンクリートや客土内に埋設する金網の金属桿材を、その打ち込まれる地面、割栗石張土間、捨てコンクリート土間、コンクリート形枠材、デッキプレート等（以下、これらを打設下地と言う。）から一定の距離をおいて支持し、その打ち込むコンクリートや客土のかぶりを確保するために使用する補強金網支持スペーサーに関するものである。
【背景技術】
【０００２】
従来、打設下地の上に金網を敷設するためのスペーサーとしては、針金、鉄筋、鉄棒等の細長い金属桿材をΩ字状に折り曲げ、その下側から突き出る左右の突出部の先端間の長さを、打設下地の山部の幅に合わせ、それら左右の突出部の先端部分を下側に折り曲げて打設下地の山部に嵌合する形状に折曲加工した２つの脚材のΩ字状に折れ曲がって突き出た頂部に、真っ直ぐになった金属桿材に成る連結材を溶接して構成されたものが知られている（例えば、特許文献１参照）。
【０００３】
汎用の補強金網は、縦筋や横筋、鉄筋、補強筋等の細長い金属桿材を溶接して成る溶接金網であり、金属桿材の交絡箇所が溶接されているので形状（寸法）が安定しており、その交絡箇所と交絡箇所との間隔や、それに取り付けたスペーサーとスペーサーとの取付間隔が格別変化することはない。しかし、金網には、金属桿材を一定の間隔でジグザグに折曲加工し、そのジグザグに曲折した金属桿材５１と金属桿材５２を、それらの曲折箇所６１・６２を掛け合わせて形成した”菱形金網”とか”ラス網”と称されるものもある。
【０００４】
【特許文献１】特開平７−２４７６３３号公報
【発明の開示】
【発明が解決しようとする課題】
【０００５】
この菱形金網６０は、金属桿材と金属桿材との交絡箇所（６１・６２）が溶接（剛接）されておらず、金属桿材自体５１・５２もジグザグに曲折しているので形状が安定せず、隣り合う金属桿材５１と金属桿材５２の間の寸法（間隔）も一定せず、また、菱形金網６０の金属桿材５１・５２が溶接金網の金属桿材に比して細いこともあって、溶接金網用のスペーサーを菱形金網６０に利用することは出来ない。しかし、菱形金網６０は客土地面のように起伏のある打設下地７０では、その起伏によく馴染むので土木工事用補強金網としての需要が見込まれ、その場合、打設下地７０からの湿気によって菱形金網６０が腐蝕しないように菱形金網６０を打設下地７０から所要の高さに支持するスペーサーが必要となる。
【０００６】
そこで本発明は、菱形金網６０に適したスペーサーを得ることを目的とする。
【課題を解決するための手段】
【０００７】
本発明に係る補強金網支持スペーサーは、（イ）  Ｕ字状に折り曲げられた金属桿材に成る２本の脚材１１・１２が平行に向かい合っており、（ロ）  その２本の脚材１１・１２が金属材料に成る連結材１３によって連結されており、（ハ）  その各脚材１１・１２のＵ字状に折れ曲がった折返箇所１４を境として脚材の両端部を構成して向き合う各脚材１１・１２の各一対の軸部２１ａ、２１ｂ、２２ａ、２２ｂに、その各脚材の各一対の軸部２１ａと２１ｂ、２２ａと２２ｂが向き合う方向とは逆向きとなる外向きに窪んだ窪み３１ａ、３１ｂ、３２ａ、３２ｂが設けられており、（ニ）  脚材の折返箇所１４が接する平面１５から各軸部の窪み３１・３２に到る距離Ｈが等しく、（ホ）  その各脚材の各一対の２本の軸部２１ａ、２１ｂ、２２ａ、２２ｂの中の各一方の軸部２１ａ、２２ａの窪み３１ａ、３２ａと折返箇所１４・１４から離れた位置において、それらの一方の軸部２１ａ、２２ａが連結材１３によって連結されており、（ヘ）  それらの各他方の軸部２１ｂ、２２ｂが自由端４１・４２を構成していることを第１の特徴とする。
【０００８】
本発明に係る補強金網支持スペーサーの第２の特徴は、上記第１の特徴に加え、２本の脚材１１・１２の中の少なくとも何れか一方の脚材１２の自由端４２が、脚材の折返箇所１４が接する平面１５に対し、軸部の窪み３２から長く突出している点にある。
【発明の効果】
【０００９】
本発明のスペーサー１０（７０）は、Ｕ字状に折り曲げられた金属桿材に成る２本の脚材１１・１２が平行に向かい合っており、その２本の脚材１１・１２が金属材料に成る連結材１３によって連結されており、概して直方体形状を成すが、各桿材１１・１２の一端（４１・４２）が軸部２１ｂ、２２ｂの軸芯を中心に前後左右に弾性的に変形自在な自由端４１・４２になっているので、各桿材の一端側の窪み３１ｂ・３２ｂを菱形金網の金属桿材５１ｂに嵌め合わせ、その窪み３１ｂ・３２ｂと金属桿材５１ｂを回転軸として回転し、折返箇所１４を菱形金網の網目隙間５０に押し込むときは、その網目隙間５０の寸法Ｌに応じて対を成す他端側の軸部２１ａ、２２ａが金属桿材５２ａからの反力を受けて弾性変形しつつ網目隙間５０に押し込まれ、その他端側の窪み３１ａ、３２ｂと金属桿材５２ａが嵌合し、スペーサー１０が菱形金網６０に装着される。
【００１０】
その装着された状態において、軸部２１・２２が弾性変形するので、各脚材の一対の窪み３１ａ、３２ａと窪み３１ｂ、３２ｂの間の寸法Ｗを、網目隙間の内側寸法Ｌよりも大きくしてもスペーサー１０が菱形金網６０に弾性的に密着して離れることがなく、各脚材１１・１２が隣り合う金属桿材５１と金属桿材５２の間で弾性的に挟持されるので、そのＵ字状に曲折した形状が保たれる。一方、その挟持する金属桿材５１・５２には、脚材１１・１２からの反力が弾性的に絶えず作用し、その反力によって網目隙間５０が絶えず弾性的に拡張状態になるので、この網目隙間５０の形状が安定する。
【００１１】
そのように脚材１１・１２が向かい合って網目を縁取る一対の金属桿材５１・５２に挟持される一方、網目（５０）も脚材によって弾性的に拡張されて形状が安定になるので、スペーサー１０は菱形金網６０に確り保持され、打設下地７０への敷き込み過程で菱形金網６０からスペーサー１０が脱落・離脱することはない。
【００１２】
２本の脚材１１・１２の中の少なくとも何れか一方の脚材１２の自由端４２が、脚材の折返箇所１４が接する平面１５に対し、軸部の窪み３２から長く突出しているときは、その自由端４２が、客土やコンクリートの積層厚み（かぶり）の目印４０にもなるので、客土やコンクリートのレベルを所定のレベル７１に揃えることが出来る（図３・図４）。
【発明を実施するための最良の形態】
【００１３】
脚材の自由端４１・４２を積層厚み（かぶり）の目印４０（図４）とする場合、軸部の窪み３１・３２から目印４０までの突出長さは、脚材の折返箇所１４が接する平面１５から各軸部の窪み３１・３２に到る距離Ｈ以上にするとよい。
【００１４】
網目隙間５０に折返箇所１４を入れ、網目隙間５０を縁取る金属桿材５１ｂを回転軸とし、そこに嵌め合わせた窪み３１ｂ、３２ｂを中心にスペーサーを網目隙間５０に押し込む場合、連結材１３とは反対側の窪み３１ｂ、３２ｂを金属桿材５１ｂに嵌め合わせ、連結材１３と向き合う他方の金属桿材５２ａを人差し指と親指の間で挟み、連結材１３に接近している窪み３１ａ、３２ａを、その他方の金属桿材５２ａに嵌め合わせるとよい。
【００１５】
図４に図示するように、網目隙間の内側の寸法Ｌよりも、脚材の折返箇所１４が接する平面１５から各軸部の窪み３１・３２に到る距離Ｈが長い長脚スペーサー２０では、向き合う窪み３１ａと窪み３１ｂの間を狭めて網目隙間５０に深く差し込み、窪み３１の位置が菱形金網６０の金属桿材５１の位置に達した時点で窪み３１ａと窪み３１ｂの間を広げ、その一方の窪み３１ｂを金属桿材５１ｂに嵌め合わせ、次いで他方の窪み３１ａを他の金属桿材５２ａに嵌め合わせる。
【００１６】
スペーサー１０・２０は、一対の脚材１１・１２を別々に成形し、それらの軸部２１・２２に連結材１３を架け渡して溶接してもよい（図２）。又、スペーサー１０・２０は、連結材１３から軸部２１・２２へと連続するように、１本の金属桿材を折曲加工して一対の脚材１１・１２を一体成形してもよい（図１・図３）。スペーサー１０・２０（脚材１１・１２や連結材１３）には鋼材を使用するとよい。長脚スペーサー２０では、軸部２１・２２や折返箇所１４・１４等に補助連結桿３０を溶接し、平行に向き合う一対の脚材１１・１２を連結することも出来る（図４）。
【００１７】
軸部の窪み３１ａ・３１ｂ（３２ａ・３２ｂ）から折返箇所１４（１４）に到る途中の部分は弓形にせず、角張ったジグザグ曲線状にすることも出来る（図２）。
従って、脚材１１（１２）は、両端の窪み３１ａ（３２ａ）から窪み３１ｂ（３２ｂ）まで変曲なく綺麗な円弧ないし弓形を描いて折り曲げられてＵ字状を成すものにする必要はなく、角張ったコ字状やＶ字状、或いは、Ω字状を成すものであってもよく、又、一対の軸部２１ａ・２１ｂ（２２ａ・２２ｂ）を左右対称にする必要もない。
このことは、折返箇所１４の形状も同様であり、折返箇所１４をＶ字状やＵ字状（図３）、或いは、直線状（図２・図４）にすることも出来る。
【図面の簡単な説明】
【００１８】
【図１】本発明に係る金網に装着されたスペーサーの斜視図である。
【図２】本発明に係るスペーサーの斜視図である。
【図３】本発明に係るスペーサーの斜視図である。
【図４】本発明に係る金網に装着されたスペーサーの側面図である。
【符号の説明】
【００１９】
１０：スペーサー
１１・１２：脚材
１３：連結材
１４：折返箇所
１５：平面
２０：長脚スペーサー
２１・２２：軸部
３０：補助連結材
３１・３２：窪み
４０：目印
４１・４２：自由端
５０：網目隙間
５１・５２：金属桿材
６０：菱形金網
６１・６２：曲折箇所
７０：打設下地
７１：レベル
【図１】
2008075404.tif 000003
【図２】
2008075404.tif 000004
【図３】
2008075404.tif 000005
【図４】
2008075404.tif 000006